(57)【要約】      （修正有）【課題】使い捨ておむつに使用して、おむつに便が排泄されたことを検知するインジケータを提供する。【解決手段】インジケータ３５が酸塩基指示薬とその指示薬の担体とによって形成される。指示薬は、その変色域がｐＨ３−５の範囲の少なくとも一部を含むものであり、担体には多孔質粒子が使用される。前記指示薬がブロモクレゾールグリーン、ブロモフェノールブルー、メチルレッド、メチルオレンジのいずれかである。前記粒子がシリカゲル、活性アルミナ、ゼオライト、ケイ酸カルシウム、ベントナイト、酸性白土，炭酸カルシウムで形成される無機物粒子群から選択されたものである。【選択図】図３
2014071036.tif 000002
【特許請求の範囲】
【請求項１】
酸塩基指示薬と前記指示薬を保持する担体とによって形成されているインジケータであって、
前記指示薬は、その変色域がｐＨ３−５の範囲の少なくとも一部を含むものであり、
前記担体が吸着剤として使用可能な多孔質粒子であり、前記指示薬が前記粒子の表面に保持されていて酸性のガスと接触すると変色し、前記粒子の周囲が酸性の雰囲気にあることを示すことができることを特徴とする前記インジケータ。
【請求項２】
前記粒子がシリカゲル、活性アルミナ、ゼオライト、ケイ酸カルシウム、ベントナイト、酸性白土，炭酸カルシウムで形成される無機物粒子群から選択されたものである請求項１記載のインジケータ。
【請求項３】
前記指示薬がブロモクレゾールグリーン、ブロモフェノールブルー、メチルレッド、メチルオレンジのいずれかである請求項１または２記載のインジケータ。
【請求項４】
通気性かつ透視性の袋に収納されていて、前記袋の外側から前記指示薬の変色が視認可能な状態にある請求項１−３のいずれかに記載のインジケータ。
【請求項５】
前記袋の内面および前記袋に収納されたシート片の表面のいずれかの面に接着剤を介して接合した状態にある請求項３記載のインジケータ。
【請求項６】
前記袋に収納された不織布片における繊維どうしの間隙に進入している状態にある請求項４または５記載のインジケータ。
【請求項７】
前記袋は、前記袋を前記袋以外のものに対して取り付けることが可能に形成されている請求項４−６のいずれかに記載のインジケータ。
【請求項８】
請求項１−３のいずれかに記載のインジケータと、通気性かつ透視性の袋とによって形成されているインジケータ収納体であって、
前記インジケータが前記袋に収納され、前記袋の外側から前記インジケータにおける前記指示薬の変色が視認可能な状態にあることを特徴とする前記インジケータ収納体。
【請求項９】
前記袋の内面および前記袋に収納されたシート片の表面のいずれかの面に前記インジケータが接着剤を介して接合した状態にある請求項８記載のインジケータ収納体。
【請求項１０】
前記袋に収納された不織布片における繊維どうしの間隙に前記インジケータが進入している状態にある請求項８または９記載のインジケータ収納体。
【請求項１１】
前記袋は、前記袋以外のものに対して取り付けることが可能に形成されている請求項８−１０のいずれかに記載のインジケータ収納体。
【発明の詳細な説明】
【技術分野】
【０００１】
この発明は、着用している使い捨ておむつに対して便が排泄されたことを検出するのに好適なインジケータとその収納体とに関する。
【背景技術】
【０００２】
使い捨ておむつを着用しているときに便が排泄されると、その便が排泄されたことを検出することのできるインジケータまたはそのインジケータを有する使い捨ておむつは従来公知である。
【０００３】
例えば、特開２００１−２０４７５３号公報（特許文献１）に記載の排泄検知器は、おむつを着用しているときに排尿または排便があると、その排尿や排便のあったことを検知することができるもので、おむつの外面に対して取り付けられる。この排泄検知器には、超音波センサ、送信アンテナ、プリント基板、電池等が含まれている。
【０００４】
また、特開２０１０−７５４６３号公報（特許文献２）に記載の吸収性物品は、その物品の一例を使い捨てのおむつとするものであって、排便の際に発生する硫化水素やメチルカプタンガス、ヘプタンガスと反応して変色する酢酸鉛および酸化クロムの少なくとも一方を含むシートがおむつの背側エンドフラップ部に取り付けられている。
【先行技術文献】
【特許文献】
【０００５】
【特許文献１】特開２００１−２０４７５３号公報
【特許文献２】特開２０１０−７５４６３号公報
【発明の概要】
【発明が解決しようとする課題】
【０００６】
特許文献１に記載の排泄検知器は、機器を組み合わせた比較的複雑なものであって、寝たきりの老人や病人のおむつに対して繰り返し使用することには適していても、活発に動く乳幼児のおむつに対して使用することには適していない。
【０００７】
また、特許文献２に記載の物品は、排便のあったことを検知するために、重金属化合物である酢酸鉛および塩化クロムの少なくとも一方を使用する。しかし、物品が重金属化合物を含むことは、その製造、使用、排気それぞれにおいて好ましいことではない。
【０００８】
そこで、この発明では、着用しているおむつに対して排便のあったことを検知することのできる構造が簡単であって重金属化合物を含むことのないインジケータとその収納体との提供を課題にしている。
【課題を解決するための手段】
【０００９】
前記課題を解決するためのこの発明は、インジケータに係る第１発明と、そのインジケータの収納体に係る第２発明とを含んでいる。
【００１０】
前記第１発明が対象とするのは、酸塩基指示薬と前記指示薬を保持する担体とによって形成されているインジケータである。
【００１１】
このインジケータにおいて、第１発明が特徴とするところは次のとおりである。すなわち、前記指示薬は、その変色域がｐＨ３−５の範囲の少なくとも一部を含むものであり、前記担体が吸着剤として使用可能な多孔質粒子であり、前記指示薬が前記粒子の表面に保持されていて酸性のガスと接触すると変色し、前記粒子の周囲が酸性の雰囲気にあることを示すことができる。
【００１２】
第１発明の実施態様の一つにおいて、前記粒子がシリカゲル、活性アルミナ、ゼオライト、ケイ酸カルシウム、ベントナイト、酸性白土，炭酸カルシウムで形成される無機物粒子群から選択されたものである。
【００１３】
第１発明の実施態様の他の一つにおいて、前記指示薬がブロモクレゾールグリーン、ブロモフェノールブルー、メチルレッド、メチルオレンジのいずれかである。
【００１４】
第１発明の実施態様の他の一つにおいて、前記インジケータは、通気性かつ透視性の袋に収納されていて、前記袋の外側から前記指示薬の変色を視認可能な状態にある。
【００１５】
第１発明の実施態様の他の一つにおいて、前記インジケータは、前記袋の内面および前記袋に収納されたシート片の表面のいずれかの面に接着剤を介して接合している状態にある。
【００１６】
第１発明の実施態様の他の一つにおいて、前記インジケータは、前記袋に収納された不織布片における繊維どうしの間隙に前記粒子が進入している状態にある。
【００１７】
第１発明の実施態様の他の一つにおいて、前記袋は、前記袋以外のものに対して取り付けることが可能に形成されている。
【００１８】
この発明のうちの第２発明が対象とするのは、第１発明に係るインジケータと、通気性かつ透視性の袋とによって形成されているインジケータ収納体である。
【００１９】
このインジケータ収納体において、第２発明が特徴とするところは、前記インジケータが前記袋に収納され、前記袋の外側から前記インジケータにおける前記指示薬の変色が視認可能であることにある。
【００２０】
第２発明の実施態様の一つにおいて、前記袋の内面および前記袋に収納されたシート片の表面のいずれかの面に前記インジケータが接着剤を介して接合した状態にある。
【００２１】
第２発明の実施態様の一つにおいて、前記袋に収納された不織布片における繊維どうしの間隙に前記インジケータが進入している状態にある。
【００２２】
第２発明の実施態様の一つにおいて、前記袋は、前記袋以外のものに対して取り付けることが可能に形成されている。
【発明の効果】
【００２３】
この発明のうちの第１発明に係るインジケータは、多孔質粒子の表面に酸塩基指示薬の一つが保持されたものであって、その指示薬の変色域はｐＨ３−５を含んでいる。かような指示薬は重金属を含むことがないものであり、インジケータはそれがおむつに使用されると、おむつに対して排泄された便に由来する酢酸や硫化水素等の酸性のガスと接触すると変色して、便の排泄のあったことを母親や介護者等に知らせることができる。
【００２４】
この発明のうちの第２発明に係るインジケータ収納体によれば、インジケータが通気性かつ透視性の袋に収納されているから、インジケータを様々な環境の下で使用することができる。
【図面の簡単な説明】
【００２５】
【図１】使い捨ておむつの内面側を部分的に破断して示す図。
【図２】使い捨ておむつの外面側を部分的に破断して示す図。
【図３】図２に例示のインジケータ収納体を部分的に破断して示す図。
【図４】インジケータ収納体の一例を部分的に破断して示す図。
【図５】インジケータ収納体の他の一例を部分的に破断して示す図。
【図６】図５のＶＩ−ＶＩ線断面図。
【図７】インジケータ収納体の他の一例を部分的に破断して示す図。
【図８】図７のＶＩＩＩ−ＶＩＩＩ線断面図。
【図９】インジケータの評価方法を示す図。
【発明を実施するための形態】
【００２６】
添付の図面を参照してこの発明に係るインジケータの詳細を説明すると、以下のとおりである。
【００２７】
図１，２は、インジケータ３５が使用されている使い捨ておむつ１の部分破断図であって、図１はおむつ１の内面の側を示し、図２はおむつ１の外面の側を示している。おむつ１の内面とは、おむつ１が着用されたときに着用者の肌と対向する面を意味し、おむつ１の外面とは、おむつ１が着用されたときに着用者の着衣と対向する面を意味している。
【００２８】
図１において、おむつ１は、通気透液性の内面シート２と、通気不透液性の防漏シート３と、通気性の外面シート４と、内面シート２と防漏シート３との間に介在する吸収体６とを有する。内面シート２と防漏シート３とは吸収体６の周縁から延出する部分において重なり合いホットメルト接着剤（図示せず）を介して互いに接合している。防漏シート３は、吸収体６の周縁から延出するだけの大きさを有していればよいものであるが、図示例においては内面シート２と同形同大に作られている。防漏シート３はまた、それと同形同大に作られている外面シート４に対してホットメルト接着剤（図示せず）を介して接合している。
【００２９】
おむつ１はまた、互いに直交する前後方向Ａと横方向Ｂとを有し、前後方向Ａには、前胴回り域７と、後胴回り域８と、これら両域７，８の間に介在する股下域９とを有する。おむつ１では、両側縁部１１が互いに並行して前後方向Ａへ延びている。ただし、両側縁部１１は、股下域９において、中心線Ｐに向かって凸となるように湾曲している。中心線Ｐは、おむつ１の横方向Ｂの寸法を二等分する線である。また、前後端縁部１２，１３が互いに並行して横方向Ｂへ延びている。前後胴回り域７，８のそれぞれでは、前端縁部１２に沿って伸長状態で延びる複数条の前胴回り弾性部材１４と後端縁部１３に沿って伸長状態で延びる複数条の後胴回り弾性部材１５とのそれぞれが内面シート２と防漏シート３との間にあって、これら両シート２，３の少なくとも一方にホットメルト接着剤（図示せず）を介して接合している。股下域９では、両側縁部１１のそれぞれに沿って前後方向Ａへ伸長状態で延びる複数条の脚回り弾性部材１６が内面シート２と防漏シート３との間にあって、これら両シート２，３の少なくとも一方にホットメルト接着剤（図示せず）を介して接合している。後胴回り域８の両側縁部１１のそれぞれには、前後胴回り域７，８を連結するためのテープファスナ１７が取り付けられている。ただし、図示例において、テープファスナ１７の一方は折り畳まれた状態で示されており、もう一方は横方向Ｂへ伸展した状態で示されている。テープファスナ１７は、マジックテープ（登録商標）を一例とするメカニカルファスナのフック部材や粘着剤で形成された止着部１８を有する。止着部１８は、前胴回り域７における外面シート４または前胴回り域４に形成されるターゲット域（図示せず）に対して剥離可能に止着する。
【００３０】
図２において、おむつ１の後胴回り域８には、インジケータ収納体３１が外面シート４に取り付けられている。インジケータ収納体３１は、中心線Ｐ上にあって、吸収体６の後端縁６ｂ（図１参照）をまたぐように取り付けられている。したがって、おむつ１の厚さ方向で見たときに、インジケータ収納体３１は、前方部分３２がいずれも通気性である外面シート４と、防漏シート３と、吸収体６と、内面シート２とを介しておむつ１の着用者の肌（図示せず）と向かい合う。また、後方部分３３はいずれも通気性である外面シート４と、防漏シート３と、内面シート２とを介して着用者の肌と向かい合う。このような状態にあるインジケータ収納体３１は、着用者の肌と内面シート２との間に生じる空間に対して通気可能につながることができる。ただし、この発明において、外面シート４に対するインジケータ収納体３１の取り付け位置は、図示例に限定されるわけではない。インジケータ収納体３１は、その全体が吸収体６と重なる位置にあってもよいし、その全体が吸収体６と重ならない位置にあってもよい。また、外面シート４は、おむつ１の外面の肌触りを布様にするために使用されているものであるから、そのような肌触りを必要としないおむつでは、外面シート４の使用を省き、防漏シート３によっておむつの外面を形成することもできる。そのときのインジケータ収納体３１は、防漏シート３に対して取り付けられる。
【００３１】
図３は、図２において使用されているインジケータ収納体３１の部分破断拡大図であって、外面シート４の一部分が仮想線で示されている。図示例のインジケータ収納体３１は、粒子状の多数のインジケータ３５と、インジケータ３５を収納する通気性の袋３６とによって形成されていて、袋３６の周縁部がホットメルト接着剤等の接合手段３７によって外面シート４に取り付けられている。ただし、その袋３６は、接合手段３７を選ぶことによって、外面シート４に対して取り外し可能かつ再取り付け可能、取り外し可能かつ再取り付け不能、および取り外し不能のいずれかの態様を取り得る。なお、インジケータ収納体３１は、インジケータ３５の使用態様の一例を示すものであって、図示例の如くおむつ１に取り付けられていることを必須の要件とするものではない。インジケータ収納体３１は、おむつ１とは別個に用意できるものであって、そのインジケータ収納体３１に設けられた接合手段３７を介しておむつ１に取り付けられればよいものである。
【００３２】
インジケータ３５は、吸着剤として使用される多孔質粒子の表面に、便に由来する酸性ガスで変色する指示薬を保持させたものである。
【００３３】
このような指示薬の担体である多孔質粒子にはシリカゲル、活性アルミナ、ゼオライト、ケイ酸カルシウム、ベントナイト、酸性白土、炭酸カルシウムで形成される無機物粒子群から選択された少なくとも一つであって、粒径が１０−１５０マイクロメートル（μｍ）の範囲にあるものが使用される。多孔質粒子はまた、それを蒸留水と混合して得られる懸濁液のｐＨがその多孔質粒子に対して使用される指示薬の変色域のｐＨよりも大きいものであることが好ましい。また、これら多孔質粒子の粒径は、ＪＩＳ  Ｚ  ８８１５に記載された乾式ふるい分け試験方法のうちの機械ふるい分けに基づいて測定されるときの値を意味している。
【００３４】
指示薬には、おむつ着用者が排泄した便に由来する酢酸や硫化水素等の酸性ガスが接触したときに変色する指示薬が使用される。そのような指示薬は、変色域にｐＨ３−５の範囲の少なくとの一部を含むものであって、具体的な例としてブロモクレゾールグリーン、ブロモフェノールブルー、メチルレッド、メチルオレンジを挙げることができる。
【００３５】
これらの指示薬のいずれかを多孔質粒子の表面に保持させるには、指示薬の０．０１−０．１０質量％水溶液またはアルコール溶液と多孔質粒子との混合物を作り、その混合物を例えば４０℃で蒸発乾固させればよい。蒸発乾固の作業を進めているときには、混合物を適宜の頻度で攪拌する。
【００３６】
袋３６は、重ね合せた第１シート４１と第２シート４２とを袋３６の周縁部に沿って延びる接合線３８において互いに接合することにより形成されている。接合線３８を形成するためには、ホットメルト接着剤や溶着、縫合等の適宜の接合手段を使用することができる。ただし、その接合手段は、接合線３８において第１シート４１と第２シート４２とを気密状態で接合できるものであることが好ましい。第１シート４１は外面シート４と対向するように使用するもので、第１シート４１には通気性であって、かつ、通気路となる部分からインジケータ３５が漏れ出ることのないものを使用する。例えば、単位面積当たりの質量が３０−８０ｇ／ｍ２の範囲にある熱可塑性合成繊維の不織布や、充填剤として炭酸カルシウムや硫酸バリウム等の微細粒子を含み、１０−５０マイクロメートルの厚さを有し、当該技術分野において慣用の通気性プラスチックフィルムを使用する。第２シート４２には透視性のものを使用して、インジケータ３５における指示薬の変色の状態を袋３６の外側から視認可能にする。そのような第２シート４２には、１０−５０マイクロメートルの厚さを有するポリエチレンフィルム等の透明なプラスチックフィルムや、単位面積当たりの質量が３０−８０ｇ／ｍ２の範囲にあって無着色の熱可塑性合成繊維で形成されている不織布等を使用することができる。第２シート４２はまた、第１シート４１と同程度の通気性を有しているものであることが好ましい。袋３６は、第１シート４１と第２シート４２とが通気性のものであると、便に由来する酸性ガスが第１シート４１から第２シート４２に向かって流れることを容易にしてインジケータ３５と酸性ガスとの接触を促進し、インジケータ３５を速やかに変色させることができる。なお、袋３６を外面シート４に取り付けるための接合手段３７は、袋３６の周縁を一周するような連続した線を画いていることが好ましい。接合手段３７がそのような態様にあると、インジケータ３５は第１シート４１を通り抜けて袋３６の外に出ることがあっても、接合手段３７の外側へこぼれ出ることがない。また、接合手段３７で囲まれている部分において外面シート４を透過して袋３６ヘ向かう酸性ガス（図示せず）は、接合手段３７の外側へ流出することがない。ただし、この発明は、外面シート４に対する袋３６の取り付け方をそのような態様に限定するものではない。袋３６は、その周縁の一部分のみを適宜の接合手段によって外面シート４に取り付けておくこともできる。
【００３７】
この発明において、第１シート４１や第２シート４２等のシート部材が通気性であるというときには、そのシート部材についてのＪＩＳ  Ｐ８１１７に規定の通気度が４００−５０００／１００ｃｃであることを意味している。
【００３８】
また、第１シート４１と第２シート４２とについて、通気路となる部分からインジケータ３５が漏れ出ることがないということは、これらシート４１，４２についての次の評価試験の結果を意味している。すなわち、
（１）２枚の第１シート４１または２枚の第２シート４２を重ね合わせて一辺の内のりが５ｃｍである袋を作る。
（２）その袋に１ｇのインジケータ３５を入れて、インジケータ３５が漏れ出ることがないように袋の四辺を加熱または接着によってシールする。
（３）シールした袋の質量（初期質量）を求める。
（４）その袋を３０ｃｍの高さから水平な木製テーブルの上に落下させる操作を１０回繰り返す。
（５）落下操作終了後の袋についての質量（落下後質量）を求める。
（６）初期質量と落下後質量との差を求め、その差が初期質量の０．１％以下であるときの袋を漏れのない袋とする。
【００３９】
この発明において、第２シート４２等のシート部材が透視性であるというときには、そのシート部材についてのＪＩＳ  Ｋ７３７５に規定される全光線透過率が５０％以上であって、かつインジケータ３５の変色前後の色の識別が可能であることを意味している。
【００４０】
インジケータ３５と袋３６とがこのように形成されているインジケータ収納体３１を有するおむつ１では、それが着用された状態で便が排泄されると、その便から発生する酢酸ガスや硫化水素ガス等の酸性ガスがおむつ１における外面シート４の外側へ拡散する。酸性ガスの一部は、それがインジケータ収納体３１の前方部分３２や後方部分３３へ進入することによって、インジケータ３５における指示薬を変色させる。指示薬が例えばブロモクレゾールグリーンであれば、その指示薬を青色から黄色に変色させる。指示薬の変色は可逆的なものであって、酸性ガスとの接触がなくなれば、指示薬は変色する前の色に復元する。しかし、排泄された便からは酸性ガスが継続的に発生するから、一度変色した指示薬は短時間で変色前の色にまで復元することがなく、母親や介護者に便の排泄があったことを確実に知らせることができる。それゆえにまた、インジケータ３５が使用されているおむつ１を着用させているときには、便が排泄された後に、母親等がその便に気が付くことなくおむつを着用させたままにしておくということを防ぐことができる。
【００４１】
インジケータ収納体３１を有するおむつ１は、着用者が放屁すると、すなわちおならをすると、そのおならに含まれる硫化水素ガス等の酸性ガスによって指示薬は変色することがある。しかし、この場合の酸性ガスと指示薬との接触は一時的なものであるから、指示薬の変色も一時的なもので、酸性ガスの飛散とともに指示薬は変色前の色に短時間のうちに復元する。母親や介護者は、そうした一時的な変色のあることを承知していれば、放屁があったことと便の排泄があったこととを混同することがない。
【００４２】
図４は、実施態様の一例を示す図３と同様な図である。図４のインジケータ収納体３１では、第１シート４１と第２シート４２とが接合線３８において接合しているが、その接合線３８には、袋３６の周縁部に沿って延びるもの３８ａの他に、中心線Ｐに沿って前後方向Ａへ延びるもの３８ｂと、接合線３８ａ,３８ｂに直交して横方向Ｂへ延びるもの３８ｃとがあって，これら接合線３８ａ，３８ｂ，３８ｃによって袋３６の内部が複数の区画に細分化されている。このように形成されているインジケータ収納体３１では、インジケータ３５が袋３６の内部で一様に分布することを容易にし、おむつ１を着用しているときに、インジケータ３５の分布が袋３６の隅部や下部に片寄るという問題の発生を抑えることができる。
【００４３】
図５，６は、実施態様の一例を示す図であって、図５は図３と同様な図であり、図６は図５のＶＩ−ＶＩ線断面を示す図である。図５，６において、インジケータ収納体３１の袋３６を形成している第１シート４１と第２シート４２との間には、インジケータ固定シート４３が介在している。インジケータ固定シート４３の一例は、繊度が２−５ｄｔｅｘの熱可塑性合成繊維４４（図６参照）で形成され、単位面積当たりの質量が２０−５０ｇ／ｍ２の範囲にあるサーマルボンド不織布等の不織布で形成された通気性のシート片である。インジケータ３５は、インジケータ固定シート４３の表面を形成している熱可塑性合成繊維４４に対してホットメルト接着剤（図示せず）を介して接合することによってインジケータ固定シート４３に保持されていてもよいし、熱可塑性合成繊維４４どうしの間隙に進入することによって接着剤を使用することなくインジケータ固定シート４３に固定されていてもよいものである。そのインジケータ固定シート４３は、第１シート４１と第２シート４２とによってサンドウィッチされていればよいものであるが、第１シート４１と第２シート４２との少なくとも一方にホットメルト接着剤等の接着剤を介して接合していてもよいものである。図５，６におけるインジケータ収納体３１は、インジケータ３５を袋３６の中に一様に分布させることを容易にする他に、インジケータ３５を固定するためのホットメルト接着剤を使用しないことによって、酸性ガスに対するインジケータ３５の露出面積を大きくすることもできる。インジケータ固定シート４３にインジケータ３５を固定するには、接着剤が塗布されているかまたは塗布されていないインジケータ固定シート４３の表面に対してインジケータ３５を散布すればよい。インジケータ３５を散布した後のインジケータ固定シート４３は、それに振動を与えることによって、インジケータ３５を熱可塑性合成繊維４４どうしの間隙に進入させることができる。なお、この発明でインジケータ３５がインジケータ固定シート４３等に固定されているというときには、おむつ１を着用している間においてインジケータ３５がシート４３に対して不動の状態にあるということを意味する他に、インジケータ３５がシート４３に対して一時的に不動の状態にあり、おむつ１の扱い方によってはインジケータが動き得る状態にあるということをも意味している。
【００４４】
図７，８もまた実施態様の一例を示す図であって、図７は図５と同様な図であり、図８は図７のＶＩＩＩ−ＶＩＩＩ線断面を示す図である。図７，８において、インジケータ収納体３１の袋３６に収納されているインジケータ固定シート４３は、互いに重なり合う第１固定シート４３ａと第２固定シート４３ｂとを有し、これら両固定シート４３ａ，４３ｂの間にインジケータ３５が介在している。第１固定シート４３ａと第２固定シート４３ｂとは、通気性の不織布、例えばスパンボンド不織布によって形成されている。インジケータ３５は第１固定シート４３ａおよび／または第２固定シート４３ｂにおける繊維どうしの間隙に進入していてもよいものである。
【００４５】
［インジケータの変色試験］
多孔質粒子としてシリカゲルと活性アルミナを使用し、指示薬にはブロモクレゾールグリーンを使用して、多孔質粒子の粒径と、多孔質粒子における指示薬の保持量とを様々に変化させたインジケータを調製し、それぞれのインジケータについて変色試験を実施した。変色試験では、インジケータを酢酸ガスの雰囲気に置くことによって、指示薬の変色が始まるまでに要する時間、指示薬の全体が変色するまでに要する時間、および全体が変色している指示薬の色が元の色にまで復元するのに要する時間を計測した。多孔質粒子の種類と粒径、多孔質粒子における指示薬の保持量、および計測の結果は表１のとおりであった。
【００４６】
表１ではまた、粒径が１５０−４２５マイクロメートルの範囲にあるシリカゲルについての変色試験結果を比較変色試験１−３として示した。
【００４７】
変色試験の方法の詳細は、以下のとおりであった。
１．インジケータの調製
（１）３個の１００ｍｌビーカーそれぞれに１０ｇの多孔質粒子を正確に秤量して入れた。
（２）指示薬としてブロモクレゾールグリーン０．０４質量％水溶液を作り、多孔質粒子を入れた３個のビーカーそれぞれにこの水溶液を１０ｇ，２０ｇ，または３０ｇ入れてよく攪拌した。各ビーカーは４０℃で乾燥し、乾燥が終了するまでの間は１時間毎に攪拌することによって、表面に保持した指示薬の量の異なる各種インジケータを得た。それぞれのインジケータは、正確に秤量し、多孔質粒子における指示薬の保持量（質量％）を求めて、その結果を表１に示した。
２．インジケータの変色試験
（１）「１．インジケータの調製」で得られた各種インジケータから０．１ｇの試料を採取し、その試料を図９に示す容量５ｍｌのバイアル瓶（外径２３ｍｍ、高さ４５ｍｍ）の底に広げた。
（２）シリカモノリス捕集剤  Ｍｏｎｏ  Ｔｒａｐ（登録商標）ＤＣＣ  １８に酢酸を０．０５ｇ含浸させた。その捕集剤をバイアル瓶の頂部から１０ｍｍの位置に吊り下げた（図９参照）。
（３）捕集剤を吊り下げてからインジケータを目視によって観察し、インジケータの変色が始まるまでに要する時間、およびインジケータのすべてが変色するまでに要する時間を計測した。計測した結果は、表１に「変色の開始」、「全部の変色」として示した。
３．変色したインジケータの色の復元試験
（１）「２．インジケータの変色試験」において、捕集剤Ｍｏｎｏ  Ｔｒａｐをバイアル瓶の中に１０秒間吊してインジケータを変色させた後に、バイアル瓶から取り出した。
（２）捕集剤を取り出してからインジケータが変色する前の色にまで復元するのに要した時間を計測した。その結果を「復元時間」として表１に示した。
【００４８】
［比較変色試験］
粒径が１５０−４２０マイクロメートルの範囲にあるシリカゲルを使用し、変色試験におけるインジケータの製造手順と同様な手順によって比較変色試験のためのインジケータを製造した。この比較変色試験のためのインジケータを変色試験のためのインジケータと同様にして評価した結果は、表１のとおりであった。
【００４９】
表１における変色試験の結果からは、この発明に係るインジケータが酸性のガスと接触すると、インジケータの色が速やかに変化することがわかる。また、変色したインジケータは、酸性のガスと接触しなくなると、変色する前の色に速やかに復元することがわかる。多孔質粒子がシリカゲルであってもアルミナであっても、粒径が大きくなるとインジケータ全部の変色に要する時間と、色の復元に要する時間とが長くなる傾向にあった。多孔質粒子の粒径は、１５０マイクロメートルよりも小さいことが好ましく、６０マイクロメートル以下であることがより好ましい。粒径が１５０マイクロメートルよりも小さければ、色の復元時間は６０分を越えることがなく、粒径が６０マイクロメートル以下であれば、インジケータ全部の変色に要する時間が４０秒以下になり得る。
【００５０】
【表１】
2014071036.tif 000003
【符号の説明】
【００５１】
３１    インジケータ収納体
３５    インジケータ
３６    袋
４２    透視性シート（第２シート）
４３，４３ａ，４３ｂ    不織布片（インジケータ固定シート）
【図１】
2014071036.tif 000004
【図２】
2014071036.tif 000005
【図３】
2014071036.tif 000006
【図４】
2014071036.tif 000007
【図５】
2014071036.tif 000008
【図６】
2014071036.tif 000009
【図７】
2014071036.tif 000010
【図８】
2014071036.tif 000011
【図９】
2014071036.tif 000012